(57)【特許請求の範囲】
【請求項１】
電線を挿通させるための挿通孔が両端間を貫通して形成された筒状の磁性体と、前記磁性体を収容するケースとで構成されるノイズ吸収具であり、
前記ケースは、
それぞれが前記磁性体の外周面に沿う周壁と前記磁性体の端面に沿う一対の端壁とで形成される凹所を備えた一対の収容殻と、前記一対の収容殻を対面状に接合させる閉鎖状態と互いが離れる開放状態とに可変に連結するヒンジ部と、前記収容した前記磁性体の軸方向の位置を規定する位置決め手段とが設けられ、
前記閉鎖状態になると両方の前記凹所にて前記磁性体を収容するための内室を形成し、前記挿通孔に挿通した電線を通すための挿通開口を接合された端壁間に形成する
ノイズ吸収具において、
前記内室に収容された前記磁性体の端面と前記端壁との間には間隙が形成され、
前記一対の収容殻を構成する前記周壁それぞれには、前記間隙に連通する穴が、前記磁性体の周方向に沿って並ぶように２箇所に設けられている
ことを特徴とするノイズ吸収具。
【請求項２】
請求項１記載のノイズ吸収具において、
前記磁性体の端部には係止凹部が設けられており、
前記ケースには、前記係止凹部を係止して前記磁性体を拘束する係止突起が設けられており、
前記係止突起は、基部のみが前記周壁に連設され、他の部分は前記周壁からも前記端壁からも分離された弾性片に設けられており、
前記弾性片は、前記磁性体の周方向に沿うスリットにより前記周壁から分離されている
ことを特徴とするノイズ吸収具。
【請求項３】
請求項２に記載のノイズ吸収具において、
前記係止凹部は、前記磁性体の両端に設けられており、
前記弾性片は、前記挿通孔の貫通する方向に沿って対をなすように、前記磁性体の両端に設けられた前記係止凹部の間隔よりも僅かに短い間隔で設けられている
ことを特徴とするノイズ吸収具。
【発明の詳細な説明】
【技術分野】
【０００１】
本発明は、ノイズ電流を吸収するために電線に装着されるノイズ吸収具の技術分野に属する。
【背景技術】
【０００２】
電線を挿通させるための挿通孔が両端間を貫通して形成された筒状の磁性体と、その磁性体を収容するケースとで構成されるノイズ吸収具であり、ケースは、それぞれが磁性体の外周面に沿う周壁と磁性体の端面に沿う一対の端壁とで形成される凹所を備えた一対の収容殻と、それら一対の収容殻を対面状に接合させる閉鎖状態と互いが離れる開放状態とに可変に連結するヒンジ部と、ケースに収容した磁性体の軸方向の位置を規定する位置決め手段とが設けられ、閉鎖状態になると両方の凹所にて磁性体を収容するための内室を形成し、挿通孔に挿通した電線を通すための挿通開口を接合された端壁間に形成するノイズ吸収具が知られている（一例として特開平３−１８１１０６号公報）。
【特許文献１】特開平３−１８１１０６号公報
【発明の開示】
【発明が解決しようとする課題】
【０００３】
ノイズ吸収具にあっては複数本の電線を同じ磁性体の挿通孔に通すことがあるが、特許文献１に開示されている構成であると、それら複数本の電線を区分けすることはできなかった。そのため、挿通孔内の電線間でクロストークが生じる等の不具合があった。
【課題を解決するための手段】
【０００４】
請求項１記載のノイズ吸収具は、
電線を挿通させるための挿通孔が両端間を貫通して形成された筒状の磁性体と、前記磁性体を収容するケースとで構成されるノイズ吸収具であり、
前記ケースは、
それぞれが前記磁性体の外周面に沿う周壁と前記磁性体の端面に沿う一対の端壁とで形成される凹所を備えた一対の収容殻と、前記一対の収容殻を対面状に接合させる閉鎖状態と互いが離れる開放状態とに可変に連結するヒンジ部と、前記収容した前記磁性体の軸方向の位置を規定する位置決め手段とが設けられ、
前記閉鎖状態になると両方の前記凹所にて前記磁性体を収容するための内室を形成し、前記挿通孔に挿通した電線を通すための挿通開口を接合された端壁間に形成する
ノイズ吸収具において、
前記内室に収容された前記磁性体の端面と前記端壁との間には間隙が形成され、
前記一対の収容殻を構成する前記周壁それぞれには、前記間隙に連通する穴が、前記磁性体の周方向に沿って並ぶように２箇所に設けられている
ことを特徴とする。
【０００５】
請求項１のノイズ吸収具は、対をなす収容殻を閉鎖状態にして形成される内室に収容された磁性体の端面と収容殻の端壁との間には間隙が形成され、収容殻の周壁には、この間隙に連通する穴が設けられているので、紐状ないし帯状の締め具を穴の１つから間隙を経由して他の穴の１つへ通すことができる。このように穴から穴へ通した締め具にて何本かの電線をくくることができる。
【０００６】
なお、「間隙」と「穴」とは穴の内側（間隙側）には紐状ないし帯状の締め具を穴に通すときに障害になる部材等が無く（締め具を穴に通すときに屈曲させる等でかわさねばならない障害は無く）、例えば挿通孔を延長した柱状の空間内に締め具の先端が接触する位置まで、いわゆる「ストレート」に締め具を通すことが可能であるのが望ましい。但し、「穴」の全開口範囲でこのようになっている必要はなく、開口の一部の範囲（いうまでもなく締め具を通し得る範囲）でこのようになっていればよい。
【０００７】
請求項１のノイズ吸収具は、上記の構成であるので、以下のような効果が得られる。
まず、同じ挿通孔に通されている複数本の電線をノイズ吸収具の内部で区分けすることができる。この区分けにより、電線同士の距離を離すことができ、それによってクロストークを防止できる。
【０００８】
次に、上記のようにくくって、電線を挿通孔の内面近くに引き寄せることができる。電線が磁性体に接近しているほど、特には接触していればインピーダンス特性が向上するので、ノイズ除去効果が良好になる。
【０００９】
あるいは、穴から穴へ通した締め具にてケースを外周から締め付けることで、閉鎖状態にした収容殻が開放状態になるのを防止できる。つまり、磁性体の脱落を防止できる。
また、請求項１記載のノイズ吸収具において、前記磁性体は、筒状体を軸方向に沿って２分割したものに相当する２つの半割体からなり、それら半割体を接合させることで前記筒状となって前記挿通孔が形成される構成の場合、締め具にてケースを外周から締め付けることで、半割体同士の接圧を高めることができる。これにより、インピーダンス特性が向上するからノイズ除去効果も良好になる。また、接圧を確保することができ、インピーダンス特性が安定する。
【００１０】
さらに、穴から穴へ通した締め具にて、ケースすなわちノイズ吸収具を筐体などに固定することができる。
そして、締め具に識別用の目印を付ければ、又は同目印付きの締め具を用いれば、これにてくくった電線の種類を識別できる。
【００１２】
磁性体を２つの半割体で構成する技術自体は公知であるが、この構成であると、半割体を接合させる前に電線の周りに締め具を回すことができるので、くくる作業を行いやすい。
【００１３】
請求項２記載のノイズ吸収具は、
請求項１記載のノイズ吸収具において、
前記磁性体の端部には係止凹部が設けられており、
前記ケースには、前記係止凹部を係止して前記磁性体を拘束する係止突起が設けられている
ことを特徴とする。
【００１４】
請求項２記載のように係止突起のための係止凹部を磁性体の端部に設けると、その余の部分については凹部を設けて磁性体の断面積を減少させる必要がなく、ノイズ除去効果も良好になる。
【００１５】
また請求項２記載のノイズ吸収具は、
前記係止突起は、基部のみが前記周壁に連設され、他の部分は前記周壁からも前記端壁からも分離された弾性片に設けられている
ことを特徴とする。
【００１６】
係止突起が設けられる弾性片を端壁に連接すると、磁性体の端面と収容殻の端壁との間に形成される間隙を弾性片が横断することになるので、締め具の通過や締め付けを阻害するおそれがある。しかし、前記係止突起は、基部のみが前記周壁に連設され、他の部分は前記周壁からも前記端壁からも分離された弾性片に設けられている構成とすれば、上記の不都合を回避できる。
【００１７】
また請求項２記載のノイズ吸収具は、
前記係止突起は、前記磁性体の周方向に沿うスリットにより前記周壁から分離される弾性片に設けられている
ことを特徴とするので、実質は周壁の一部を弾性片としたのと同様である。よって、弾性片を周壁とは別に設けるよりも構造を単純化できる。また、この構成であると、係止突起の突出方向が周壁の中心軸側を向くので、半割体を収容殻に押し込んで係止突起に係止させる作業が行いやすい。
請求項３に記載のノイズ吸収具は、
請求項２に記載のノイズ吸収具において、
前記係止凹部は、前記磁性体の両端に設けられており、
前記弾性片は、前記挿通孔の貫通する方向に沿って対をなすように、前記磁性体の両端に設けられた前記係止凹部の間隔よりも僅かに短い間隔で設けられている
ことを特徴とする。
【発明を実施するための最良の形態】
【００１８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１、図２に示すように、本実施例のノイズ吸収具１は、磁性体であるフェライトコアと、これを収容する合成樹脂製のケース７とで構成される。
【００１９】
フェライトコアは、筒状体を軸方向に沿って２分割したものに相当する２つの半割体３からなる。それら半割体３を接合させることで図２（ａ）に示すように筒状となり、両半割体３に設けられた溝部４ａが合体することで挿通孔４が中心部に形成される。この挿通孔４は筒状となったフェライトコアの両端間を貫通しており、ノイズ吸収の対象となる電線がここに挿通させられる。
【００２０】
また、各半割体３の端部には段差状の係止凹部５が設けられており、この係止凹部５は、ケース７に収容した半割体３がケース７から脱落するのを防ぎ、またケース７内での半割体３（フェライトコア）の軸方向の位置を規定するために用いられる。
【００２１】
ケース７は一対の収容殻８、９と、これらを連結するヒンジ部１０とを備えている。
収容殻８、９は、半割体３の外周面に沿う周壁１２と、半割体３の各端面に沿う一対の弧状の端壁１３とを備えてなり、それら周壁１２と端壁１３とで形成される凹所１４に半割体３を収容している。
【００２２】
但し、半割体３（フェライトコア）の軸方向長さは一対の端壁１３間の距離よりも小さく、また半割体３が両端壁１３のほぼ中央に配されることから、半割体３の端面３ａと端壁１３との間には間隙１５が形成されている。
【００２３】
収容殻８のヒンジ部１０とは反対側の側部には、略長方形の窓穴を有する弾性係止片１６が設けられている。一方、収容殻９には、弾性係止片１６に対応する突起部１７が設けられている。
【００２４】
ヒンジ部１０を弾性変形させて収容殻８、９を対面状に接合させると、弾性係止片１６が突起部１７の上斜面１７ａとの接触によって外側に弾性変形し、弾性係止片１６の窓穴が上斜面１７ａを越えると弾性復帰して窓穴の長辺１６ａが突起部１７の下面１７ｂに係止する。これによって、収容殻８、９の閉鎖状態が維持される。この閉鎖状態になると、図２（ａ）に示すように収容殻８、９の凹所１４にて内室１８が形成され、この内部に２つの半割体３すなわちフェライトコアが収容される。また、収容殻８の端壁１３と収容殻９の端壁１３とが対向状に接合し合い、それぞれに設けられている半円状の凹み１９ａが合体して挿通開口１９を形成する。これらの挿通開口１９は、挿通孔４に挿通させた電線の通路となる。
【００２５】
なお、指やマイナスドライバのような工具で弾性係止片１６に力を加えれば長辺１６ａと下面１７ｂとの係止を解除することができ、そうすれば収容殻８、９を互いが離れる開放状態（図１に示す状態）にできる。
【００２６】
収容殻８、９には、周壁１２と端壁１３とが不連続の部分があり、その部分に弾性片２１が配されている。弾性片２１は基部が周壁１２に連設されているものの、側部については周壁１２との間にスリット２２が、端壁１３との間にはスリット２３が設けられており、これらのスリット２２、２３にて周壁１２からも、端壁１３からも切り離された状態になっている。従って、弾性片２１は、収容殻８、９の内側に傾く弾性変形、同外側に傾く弾性変形、端壁１３側に傾く弾性変形、これと逆に傾く弾性変形が可能である。
【００２７】
弾性片２１の先端部には、周壁１２の内側に凸の係止突起２４が設けられている。
弾性片２１は図１に示すとおり、各収容殻８、９に４本ずつ設けられているが、収容殻８、９の側部に沿って対をなす弾性片２１同士の間隔は、半割体３の係止凹部５間の間隔よりも僅かに短い。このため、弾性片２１は端壁１３側に傾いて弾性変形しており、その反発力にて係止突起２４で半割体３を挟みつけている。これにより、半割体３の軸方向の位置がずれるのを防いでいる。すなわち、半割体３の軸方向の位置を規定するための位置決め手段として機能している。
【００２８】
また、係止突起２４は係止凹部５を係止することで、半割体３が収容殻８、９の凹所１４から脱落するのを防ぐ機能も果たしている。
なお、係止突起２４の半割体３が脱落するのを防ぐ機能には、収容殻８、９の底部に設けられた弾性圧迫片２５も関係している。
【００２９】
すなわち、半割体３を凹所１４に収容していない状態（収容殻８、９が空の状態）では、弾性圧迫片２５の先端と係止突起２４との間隔は、半割体３の背面３ｂ（弾性圧迫片２５に接触する面）と係止凹部５との間隔よりも小さく、半割体３を凹所１４に収容すると半割体３の背面３ｂによって押圧されて弾性圧迫片２５が弾性変形する。この弾性圧迫片２５の弾性変形に伴う反発力で半割体３（係止凹部５）が、弾性圧迫片２５と係止突起２４とに挟持される。よって、半割体３が凹所１４内でがたつくことはない。
【００３０】
一方、半割体３を凹所１４に収容した収容殻８、９を閉鎖状態にすると、図２（ａ）に示すとおり、２つの半割体３が接合されてフェライトコアを形成するが、両方の半割体３の背面３ｂ間の距離が、それぞれに接している弾性圧迫片２５間の距離よりも大きいため、弾性圧迫片２５が半割体３の背面３ｂによって更に押圧されて弾性変形を増す。また、係止凹部５が係止突起２４から離れるが、弾性圧迫片２５の弾性変形に伴う反発力は半割体３同士の接合を強める働きをするので、フェライトコア（半割体３）がたつくことはない。
【００３１】
また、周壁１２と端壁１３とのコーナー部には、上面２６ａが内側に傾斜した案内リブ２６が設けられている。向かい合った端壁１３の案内リブ２６間の距離は半割体３の軸方向長さをわずかに上回っており、半割体３を収容殻８、９に押し込んで係止突起２４に係止させる作業時に、半割体３を適正な位置に案内する機能がある。
【００３２】
上述したように、半割体３を凹所１４に収容すると半割体３の端面３ａと端壁１３との間には間隙１５が形成されるが、周壁１２には間隙１５に連通する穴２７が設けられている。詳しくは、穴２７は、弾性片２１の基部との連接部に隣接して、各弾性片２１と対をなすごとく、収容殻８、９それぞれに４箇所ずつ開設されている。また、図２（ｂ）に良好に示されるように、各穴２７は、係止突起２４の下面（係止凹部５に接触する面）に対向するように設けられている。
【００３３】
このように、周壁１２には間隙１５に連通する穴２７が設けられているので、紐状ないし帯状の締め具を穴２７の１つから間隙１５を経由して他の穴２７へ通すことができる。
例えば収容殻８の穴２７の１つから間隙１５を経由して、同じ間隙１５に連通している他の穴２７へ通すことができる。これは収容殻９についても同様である。或いは、収容殻８の穴２７の１つから間隙１５に通し、収容殻８、９を閉鎖状態にしたときにこれと連通する収容殻９の間隙１５に開口している穴２７の１つへと、つまり収容殻８の間隙１５と
収容殻９の間隙１５とを経由して通すこともできる。
【００３４】
そして、このように穴２７から穴２７へ通した締め具にて、挿通孔４に挿通させた電線の何本かをくくることができるので、以下のような効果が得られる。
まず、同じ挿通孔４に通されている電線の何本かを締め具にてくくり、引き寄せるように締めると挿通孔４の内部で偏らせることができる。また、残りの電線（全て又は一部）も他の締め具にて同様にできる。更に、残余の電線があれば、それらも同様にできる。つまり、複数本の締め具を用いて複数本の電線を複数組みに区分けすることができる。このように区分けした電線の組みを互いの距離が離れるように挿通孔４の内部で偏らせることで、異なる組みの電線間でのクロストークを防止できる。
【００３５】
また、上記のようにくくって、電線を挿通孔４の内面近くに引き寄せることができる。電線がフェライトコアに接近しているほど、特には接触していればインピーダンス特性が向上するので、ノイズ除去効果が良好になる。
【００３６】
あるいは、穴２７から穴２７へ通した締め具にてケース７を外周から締め付けることで、閉鎖状態にした収容殻８、９が開放状態になるのを防止できる。つまり、フェライトコアの脱落を防止できる。
【００３７】
実施例ではフェライトコアが２つの半割体３からなり、それら半割体３を接合させることで挿通孔４が形成される構成であるから、締め具にてケース７を外周から締め付けることで、半割体３同士の接圧を高めることができる。これにより、インピーダンス特性が向上するからノイズ除去効果も良好になる。また、接圧を確保することができ、インピーダンス特性が安定する。また、半割体３を接合させる前に電線の周りに締め具を回すことができるので、くくる作業を行いやすい。
【００３８】
さらに、穴２７から穴２７へ通した締め具にて、ケース７すなわちノイズ吸収具１を筐体などに固定することができる。
そして、締め具に識別用の目印を付ければ、又は同目印付きの締め具を用いれば、これにてくくった電線の種類を識別できる。
【００３９】
また、本実施例のノイズ吸収具１は、半割体３の端部に係止凹部５が設けられており、ケース７（収容殻８、９）に設けられている係止突起２４にて係止凹部５を係止して半割体３を拘束する構成であり、係止凹部５を半割体３の端部に設けると、その余の部分については凹部を設けて半割体３（フェライトコア）の断面積を減少させる必要がなく、ノイズ除去効果も良好になる。
【００４０】
その係止突起２４を設けた弾性片２１は、基部のみが周壁１２に連設され、他の部分は２２スリットにより周壁１２から分離され、またスリット２３により端壁１３からも分離されていて、周壁１２の一部を弾性片２１としたと見ることができる。よって、弾性片２１を周壁１２とは別に設けるよりも構造を単純化できる。また、弾性片２１が間隙１５に進入する量は小さく、締め具の通過や締め付けを阻害するおそれはない。
しかも、係止突起２４の突出方向が周壁１２の中心軸側を向くので、半割体３を収容殻８、９に押し込んで係止突起２４に係止させる作業が行いやすい。
【図面の簡単な説明】
【００４１】
【図１】実施例のノイズ吸収具の背面図（ａ）、平面図（ｂ）、左側面図（ｃ）、正面図（ｄ）、右側面図（ｅ）、底面図（ｆ）。
【図２】実施例のノイズ吸収具の軸方向断面図（ａ）及び図１に示すＡ−Ａ断面図（ｂ）
【符号の説明】
【００４２】
１・・・ノイズ吸収具、
３・・・半割体、
３ａ・・・端面、
４・・・挿通孔、
５・・・係止凹部、
７・・・ケース、
８、９・・・収容殻、
１０・・・ヒンジ部、
１２・・・周壁、
１３・・・端壁、
１４・・・凹所、
１５・・・間隙、
１８・・・内室、
１９・・・挿通開口、
２１・・・弾性片、
２２、２３・・・スリット、
２４・・・係止突起、
２７・・・穴。
【図１】
0004789045.tif 000002
【図２】
0004789045.tif 000003